(57)【特許請求の範囲】
【請求項１】
ワイパアームの基部を回動自在に支持するフレームに対して取付けられるワイパアーム用ピボット構造において、
ウォッシャ液の導出管部を一体に備えたカラーと、
前記ウォッシャ液の導出管部に液密に連結される連結管部および上面に形成される溝部並びに該溝部の両側部から立設された縁部を一体に有するエラストマー素材の不動部と、
該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成されたことを特徴とするワイパアーム用ピボット構造。
【請求項２】
前記連結管部は、前記導出管部内に挿入されることを特徴とする請求項１記載のワイパアーム用ピボット構造。
【請求項３】
前記カラーは、前記フレームに螺合するナットによりワイパピボット部に固定されると共に、前記不動部は、前記ナットを包持する脚部と、該脚部の下端に形成されて前記ナットの下面側に係合する係合部を備えたことを特徴とする請求項１または２に記載のワイパアーム用ピボット構造。
【請求項４】
前記ナットを包持する前記脚部は、内面側が前記ナットに密着可能であることを特徴とする請求項３に記載のワイパアーム用ピボット構造。
【請求項５】
ワイパアームの基部を回動自在に支持するフレームに対して取付けられるワイパアーム用ピボット部品において、
ウォッシャ液の導出管部に液密に連結される連結管部および上面に形成される溝部並びに該溝部の両側部から立設された縁部を一体に有するエラストマー素材の不動部と、
該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成されたことを特徴とするワイパアーム用ピボット部品。
【発明の詳細な説明】
【０００１】
【発明の属する技術分野】
この発明は、自動車のワイパアームの回動基部に設けられる、ワイパアーム用ピボット構造およびピボット部品に関するものである。
【０００２】
【従来の技術】
自動車などの車両にはウインドウやミラーなどを払拭するためにワイパー装置が設けられているが、ワイパー装置のなかにはワイパアームの先端部からウォッシャ液を噴出するようにしたワイパアームを備えているものがある。
【０００３】
このようなワイパアームを備えたワイパー装置として、従来、実開昭６４−９８６６号公報に記載されたようなものがある。
【０００４】
この公報によれば、ワイパアームを固定するためのピボット軸を支承するピボットブロックに対し、ピボット軸と一体に回転する回転円板と、この回転円板および前記ピボットブロックの間に介装されたリング状弁体とからなる回転継手部を取付け、この回転継手部を介してワイパアームへウォッシャ液を供給し得るようにしている。
【０００５】
そして、この回転継手部には、多数のＯリングがシール材として使用されている。
【０００６】
【発明が解決しようとする課題】
しかしながら、このような従来のワイパアームのピボット構造では、回転継手部に多数のＯリングをシール材として用いているため、部品点数が多くなって、組み立てが煩雑になるという問題があった。
【０００７】
そこで、本発明の目的は、上記の問題点を解消し、部品点数を削減して組み立てを容易とすることのできるワイパアーム用ピボット構造およびピボット部品を提供することにある。
【０００８】
【課題を解決するための手段】
上記課題を解決するために、請求項１に記載された発明では、ワイパアームの基部を回動自在に支持するフレームに対して取付けられるワイパアーム用ピボット構造において、ウォッシャ液の導出管部を一体に備えたカラーと、前記ウォッシャ液の導出管部に液密に連結される連結管部および上面に形成される溝部並びに該溝部の両側部から立設された縁部を一体に有するエラストマー素材の不動部と、該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成されたことを特徴としている。
【０００９】
このように構成された請求項１にかかる発明によれば、ウォッシャ液の導出管部を一体に備えたカラーと、ウォッシャ液の導出管部に液密に連結される連結管部および上面に形成される溝部並びに該溝部の両側部から立設された縁部を一体に有するエラストマー素材の不動部と、該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成され、前記不動部にシール性を有するエラストマー素材を用いて溝部や縁部を一体形成したことにより、Ｏリングなどのシール材が全く不要となるため、３つの部品のみでシール性の管理が可能となり、部品点数が少なくなって後のアセンブリ工程が容易となる。
【００１０】
請求項２に記載された発明では、前記請求項１に記載された発明において、前記連結管部は、前記導出管部内に挿入されることを特徴としている。
【００１１】
このように構成された請求項２にかかる発明によれば、前記連結管部を、前記導出管部内へ挿入させることにより、簡単にシールを行わせることができると共に、不動部のカラーに対する位置決めを行わせることができる。
【００１２】
請求項３に記載された発明では、前記請求項１または２に記載された発明において、前記カラーは、前記フレームに螺合するナットによりワイパピボット部に固定されると共に、前記不動部は、前記ナットを包持する脚部と、該脚部の下端に形成されて前記ナットの下面側に係合する係合部を備えたことを特徴としている。
【００１３】
このように構成された請求項３にかかる発明によれば、前記脚部の下端に設けられた係合部を前記ナットの下面側に係合させることにより、不動部を簡単に取り付けることができる。また、カラーや不動部や可動部の上側にはワイパアームが固定されるようになっているので、十分な取り付け強度が確保できる。
【００１４】
請求項４に記載された発明では、前記請求項３に記載された発明において、前記ナットを包持する前記脚部は、内面側が前記ナットに密着可能であることを特徴としている。
【００１５】
このように構成された請求項４にかかる発明によれば、前記不動部がナットを包持する反力により、前記シール部のシール性を更に向上させることができる。
【００１６】
請求項５に記載された発明では、ワイパアームの基部を回動自在に支持するフレームに対して取付けられるワイパアーム用ピボット部品において、ウォッシャ液の導出管部に液密に連結される連結管部および上面に形成される溝部並びに該溝部の両側部から立設された縁部を一体に有するエラストマー素材の不動部と、該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成されたことを特徴としている。
【００１７】
このように構成された請求項５にかかる発明によれば、ウォッシャ液の導出管部に液密に連結される連結管部および上面に形成される溝部並びに該溝部の両側部から立設された縁部を一体に有するエラストマー素材の不動部と、該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成され、前記不動部にシール性を有するエラストマー素材を用いて溝部や縁部を一体形成したことにより、Ｏリングなどのシール材が全く不要となるため、２つの部品を組み付けるのみでシール性の管理が可能となり、部品点数が少なくなって後のアセンブリ工程が容易となる。
【００１８】
【発明の実施の形態１】
以下、本発明の具体的な実施の形態１について、図示例と共に説明する。
【００１９】
図１〜図７は、この発明の実施の形態１を示すものである。
【００２０】
まず、構成を説明すると、図１に示すように、自動車のボディ内側に配される図示しないワイパモータのフレーム１におけるピボット軸８の先端部にウォッシャ液を噴出可能なワイパアーム２後端の取付部３が固定される。そして、この実施の形態１にかかるピボット部品４は、前記フレーム１の先端近傍に回転継手として取付けられる。
【００２１】
図２に示すように、上記フレーム１の先端には、第１シール材１８Ａの位置決め部材としての台座Ｂを係止可能な段部Ｓと、その上部にナット６を螺着するための小径のネジ部７とからなる胴部５が形成され、このネジ部７の上部からワイパモータのピボット軸（出力軸）８が突出するようになっており、ピボット軸８には、その先端に小径のワイパアーム２固定用のネジ部が形成されている。そして、上記ワイパアーム２後端の取付部３が前記ネジ部９に係合され、ナットにより固定される。なお、符号３はネジ部９を覆う樹脂製のカバー部材である。
【００２２】
そして、ワイパアーム２には、先端に図示しないウォッシャ液のノズルが設けられており、このノズルへウォッシャ液を供給する供給管１１が図１に示すように、ワイパアーム２の後端側から先端側へと延設されている。
【００２３】
また、図２に示すように、前記フレーム１の胴部５とネジ部７との間の段差１２部分には、樹脂製のカラー１３が係止される。このカラー１３は、フレーム１の胴部５外周を支承可能な筒状部１４と、この筒状部１４の上端部（以下、フレーム１の先端側を上として説明する）に一体に形成されたほぼ環状の鍔部１５とを備えている。この鍔部１５は、前記段差１２部分に当接係止可能な内フランジ部１６および筒状部１４の外周側へ張出す外フランジ部１７を有している。更に、カラー１３には、筒状部１４に外嵌されると共に外フランジ部１７の下面に当接されるリング状の第２シール材１８Ｂが係合されている。
【００２４】
そして、上記カラー１３には、ウォッシャ液の導出管部１９が一体に形成されている。このウォッシャ液の導出管部１９は、前記筒状部１４内をフレーム１の軸線方向へ貫通するストレート孔であり、鍔部１５の上面に出口開口２０が形成されると共に、筒状部１４の下端側に図示しないウォッシャポンプに連結されるホースが接続されるジョイント部２１が突設形成されている。なお、前記筒状部１４にウォッシャ液の導出管部１９を貫通形成することに伴い、図５に示すように、筒状部１４はウォッシャ液の導出管部１９の部分が厚肉となっている。
【００２５】
上記カラー１３の上部に対し、上記ピボット部品４が配置される。このピボット部品４は、後述の不動部２２と可動部２３とから成っている。
【００２６】
上記不動部２２は、フレーム１の前記ネジ部７の位置に外嵌可能な孔開きの円板状部２４と、この円板状部２４のほぼ周縁部から下方へ延びるほぼ筒状の脚部２５とを有し、シール性を有するエラストマー素材によって構成されている。
【００２７】
そして、上記不動部２２には、前記ウォッシャ液の導出管部１９に液密に連結される連結管部２６が一体に形成されている。この連結管部２６は、前記脚部２５内をフレーム１の軸線方向へ貫通するストレート孔である。また、上記円板状部２４の上面には、フレーム１と同心状に溝部２７が形成され、この溝部２７は、前記連結管部２６と接続されている。溝部２７の両側部からは縁部２８が立設されている。
【００２８】
一方、上記可動部２３は、フレーム１の前記ピボット軸８に外嵌可能な孔開きの円板部２９と、この円板部２９の周縁部から下方へ延びる側壁部３０とを有している。ピボット軸８が貫通する前記円板部２９の部分には、ピボット軸８に摺接可能な筒状部３１を備えている。また、前記側壁部３０の内周面には、前記不動部２２における円板状部２４の上部外周縁に形成された鍔部３２に対して回転自在に嵌着する嵌着部３３が凹設形成されている。また、前記側壁部３０には、前記不動部２２における溝部２７の縁部２８を圧接状態で挟着して溝部２７をシールする溝状のシール部３４が形成されている。
【００２９】
また、上記可動部２３は、シール部３４に連通して前記溝部２７内のウォッシャ液をワイパアーム２側へ導出する吐出管部３５を有している。この吐出管部３５は、可動部２３の側壁部３０内をフレーム１の半径方向へ貫通しており、その出口部には、前記供給管１１を接続するジョイント部３６が突設形成されている。
【００３０】
加えて、前記連結管部２６の入口側には、前記ウォッシャ液の導出管部１９の出口開口２０内へ圧入状態で挿入される挿入端部３７が突設形成されている。
【００３１】
また、前記カラー１３は、フレーム１のネジ部７に螺合するナット６によりワイパピボット部に固定されると共に、前記不動部２２は、ナット６を包持する脚部２５と、脚部２５の下端に形成されて前記ナット６の下面側に係合する係合部３８を備えている。
【００３２】
更に、前記ナット６を包持する前記脚部２５は、内面側が前記ナット６に密着可能となっている。
【００３３】
次に、この実施の形態１の作用について説明する。
【００３４】
ワイパピボット部を組み立てる場合、先ず、フレーム１における胴部５の段部Ｓに対し台座Ｂに位置決め係合された第１シール材１８Ａを係合する。そして、自動車の車体外板（ガラス）Ｇに設けた孔の内側から貫通させてフレーム１を車体外方に突出させ、その先端から第２シール材１８Ｂの組み付けられたカラー１３を挿入し、フレーム１の胴部５とネジ部７との間の段差１２部分のカラー１３のフランジ１６を係止させる。そして、フレーム１のネジ部７にナット６を螺着する。以上により、カラー１３がワイパピボット部に固定される。
【００３５】
一方、予め不動部２２に可動部２３を嵌着させておく。即ち、不動部２２における円板状部２４の上部外周縁に形成された鍔部３２に対し、可動部２３の側壁部３０の内周面に凹設形成した嵌着部３３を回転自在となるように係合させておく。これにより、不動部２２と可動部２３とが一体化されてピボット部品４となる。
【００３６】
この際、可動部２３の側壁部３０に形成された溝状のシール部３４で、前記不動部２２における溝部２７の縁部２８を圧接状態で挟着して溝部２７をシールさせるようにする。これにより、前記連結管部２６と前記吐出管部３５とが連通状態となり、不動部２２と可動部２３とが回動した場合でも前記連通状態が保たれるようになる。
【００３７】
そして、このピボット部品４を、フレーム１の先端側から挿入し、不動部２２の脚部２５でナット６を包持させ且つ脚部２５の下端に形成された係合部３８を前記ナット６の下面側に回り込んで係合させる。これにより、簡単に、ピボット部品４が取付けられる。
【００３８】
この際、不動部２２の連結管部２６の入口側に形成された挿入端部３７を、カラー１３の導出管部１９の出口開口２０内へ圧入状態で挿入させるようにする。
【００３９】
この実施の形態１によれば、不動部２２にシール性を有するエラストマー素材を用いることにより、Ｏリングなどのシール材が全く不要となるため、カラー１３と不動部２２と可動部２３との３つの部品のみでワイパピボット部のシール性の管理が可能となり、部品点数が少なくなってアセンブリ工程が容易となる。
【００４０】
また、前記連結管部２６を、前記導出管部１９内へ挿入させることにより、簡単にシールを行わせることができると共に、不動部２２のカラー１３に対する位置決めを行わせることができる。
【００４１】
ここで、連結管部２６は、可動部３２と不動部２２との間で発生する摩擦抵抗により、不動部２２が回転することを防ぐ回り止めとしても機能する。
【００４２】
前記脚部２５の下端に設けられた係合部３８を前記ナット６の下面側に係合させることにより、不動部２２を簡単に取り付けることができる。なお、このような構造としてもカラー１３や不動部２２や可動部２３の上側にはワイパアーム２が固定されるようになっているので、十分な取り付け強度が確保できる。
【００４３】
更に、前記不動部２２の脚部２５がナット６を包持する反力により、前記シール部３４のシール性を更に向上させることができる。
【００４４】
加えて、前記不動部２２にシール性を有するエラストマー素材を用いることにより、Ｏリングなどのシール材が全く不要となるため、不動部２２と可動部２３との２つの部品を組み付けるのみでピボット部品４のシール性の管理が可能となり、部品点数が少なくなってアセンブリ工程が容易となる。
【００４５】
【発明の効果】
以上説明してきたように、請求項１の発明によれば、ウォッシャ液の導出管部を一体に備えたカラーと、ウォッシャ液の導出管部に液密に連結される連結管部および上面に形成される溝部並びに該溝部の両側部から立設された縁部を一体に有するエラストマー素材の不動部と、該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成され、不動部にシール性を有するエラストマー素材を用いて溝部や縁部を一体形成したことにより、Ｏリングなどのシール材が全く不要となるため、３つの部品のみでシール性の管理が可能となり、部品点数が少なくなって後のアセンブリ工程が容易となる。
【００４６】
請求項２の発明によれば、連結管部を、前記導出管部内へ挿入させることにより、簡単にシールを行わせることができると共に、不動部のカラーに対する位置決めを行わせることができる。
【００４７】
請求項３の発明によれば、脚部の下端に設けられた係合部を前記ナットの下面側に係合させることにより、不動部を簡単に取り付けることができる。また、カラーや不動部や可動部の上側にはワイパアームが固定されるようになっているので、十分な取り付け強度が確保できる。
【００４８】
請求項４の発明によれば、不動部がナットを包持する反力により、前記シール部のシール性を更に向上させることができる。
【００４９】
請求項５の発明によれば、ウォッシャ液の導出管部に液密に連結される連結管部および上面に形成される溝部並びに該溝部の両側部から立設された縁部を一体に有するエラストマー素材の不動部と、該不動部の上部外周縁に回転自在に嵌着し前記縁部に圧接状態で挟着して常時シールを行う溝状のシール部および前記溝部内のウォッシャ液をワイパアーム側へ導出する吐出管部を有する可動部によって構成され、不動部にシール性を有するエラストマー素材を用いて溝部や縁部を一体形成したことにより、Ｏリングなどのシール材が全く不要となるため、２つの部品を組み付けるのみでシール性の管理が可能となり、部品点数が少なくなって後のアセンブリ工程が容易となる、という実用上有益な効果を発揮し得る。
【図面の簡単な説明】
【図１】本発明の実施の形態１にかかるピボット部の部分拡大側面図である。
【図２】図１のピボット部の一部省略した側方断面図である。
【図３】図２の不動部の部分拡大図である。
【図４】図２の可動部の部分拡大図である。
【図５】図２のカラーの上面図である。
【図６】図２の不動部の上面図である。
【図７】図２の可動部の上面図である。
【符号の説明】
１    フレーム
２    ワイパアーム
４    ピボット部品
６    ナット
８    ピボット軸
１３  カラー
１９  導出管部
２２  不動部
２３  可動部
２６  連結管部
２７  溝部
３４  シール部
３５  吐出管部
３８  係合部
【図１】
0003830695.tif 000002
【図２】
0003830695.tif 000003
【図３】
0003830695.tif 000004
【図４】
0003830695.tif 000005
【図５】
0003830695.tif 000006
【図６】
0003830695.tif 000007
【図７】
0003830695.tif 000008